(57)【要約】【課題】  非線形回路の非線形特性を受信した信号の波高値に応じて可変させ、アナログ信号をデジタル信号に正しく変換することのできる復調回路等を提供する。【解決手段】  積分回路８０は、ＦＦＴ処理回路６０から入力される信号ｔに基づいて受信信号の波高値を求め、この波高値が基準値未満の場合に非線形特性を有する非線形Ａ回路４０ａから出力された信号ｈａをＡＤＣ回路５０でデジタル変換し補正Ａ回路５２ａによって補正を行い、波高値が基準値以上の場合に非線形性の特性を示す領域の広い非線形Ｂ回路４０ｂから出力された信号ｈｂをＡＤＣ回路５０でデジタル変換し補正Ｂ回路５２ｂによって補正を行う。【選択図】図１
2006050147.tif 000002
【特許請求の範囲】
【請求項１】
所定の関数で表現される非線形特性を有すると共に当該非線形特性に基づいてチューナー回路により受信されたアナログ受信信号を変換する第１の変換部と、
この第１の変換部によって変換されたアナログ受信信号をデジタル受信信号に変換するＡＤ変換部と、
前記所定の関数の逆関数で表現される非線形特性を有すると共にこのＡＤ変換部にて変換されたデジタル受信信号を当該非線形特性に基づいて変換する第２の変換部と、
この第２の変換部にて変換されたデジタル受信信号を復調する復調部と、
を有する復調回路において、
前記第２の変換部からのデジタル受信信号の波高値を検出する波高値検出部を有し、前記第１の変換部及び第２の変換部は、この波高値検出部にて検出された波高値に基づいてその非線形特性を可変させる復調回路。
【請求項２】
前記第１の変換部は、夫々異なる関数で表現される非線形特性を有すると共に当該非線形特性に基づいて前記チューナー回路からのアナログ受信信号を変換する複数の非線形回路と、前記波高値検出部からの波高値に基づいて前記複数の非線形回路によって変換されたアナログ受信信号のいずれかひとつを選択する選択回路と、からなり、
前記第２の変換部は、前記複数の非線形回路夫々に対応し、夫々が前記関数の逆関数で表現される非線形特性を有すると共に当該非線形特性に基づいて前記ＡＤ変換部にて変換されたデジタル受信信号を変換する複数の補正回路と、前記複数の補正回路によって変換されたデジタル受信信号のうち、前記第１の変換部にて選択されたアナログ受信信号を変換した非線形回路に対応する補正回路にて変換されたデジタル信号を、前記波高値検出部からの波高値に基づいて選択する選択回路と、からなる請求項１記載の復調回路。
【請求項３】
前記第１の変換部は、前記波高値検出部からの波高値に対応する関数を決定するパラメータを演算するパラメータ演算回路と、このパラメータ演算回路にて生成されたパラメータに基づく関数で表現される非線形特性を有すると共に当該非線形特性に基づいて前記チューナー回路からのアナログ受信信号を変換する非線形回路と、からなり、
前記第２の変換部は、前記波高値検出部からの波高値に対応して前記関数の逆関数を決定するパラメータを演算するパラメータ演算回路と、このパラメータ演算回路にて演算されたパラメータに基づく逆関数で表現される非線形特性を有すると共に当該非線形特性に基づいて前記ＡＤ変換部からのデジタル受信信号を変換する補正回路と、からなる請求項１記載の復調回路。
【請求項４】
前記復調部は、供給されるデジタル受信信号を高速フーリエ変換するＦＦＴ回路を含み、
前記波高値検出部は前記ＦＦＴ回路の出力を所定期間毎に積分する積分回路からなり、この積分回路の出力を波高値として出力する請求項１記載の復調回路。
【請求項５】
所定の関数で表現される非線形特性を有すると共に当該非線形特性に基づいてチューナー回路により受信されたアナログ受信信号を変換する第１の変換ステップと、
この第１の変換ステップによって変換されたアナログ受信信号をデジタル受信信号に変換するＡＤ変換ステップと、
前記所定の関数の逆関数で表現される非線形特性を有すると共にこのＡＤ変換ステップにて変換されたデジタル受信信号を当該非線形特性に基づいて変換する第２の変換ステップと、
この第２の変換ステップにて変換されたデジタル受信信号を復調する復調ステップと、
を有する復調方法であって、
前記第２の変換ステップにて変換されたデジタル受信信号の波高値を検出する波高値検出ステップを更に有し、前記第１の変換ステップ及び第２の変換ステップは、この波高値検出ステップにて検出された波高値に基づいてその非線形特性を可変させる復調方法。
【請求項６】
前記第１の変換ステップは、夫々異なる関数で表現される非線形特性を有すると共に当該非線形特性に基づいて前記チューナー回路からのアナログ受信信号を変換する複数の非線形ステップと、前記波高値検出ステップにて検出された波高値に基づいて前記複数の非線形ステップによって変換されたアナログ受信信号のいずれかひとつを選択する選択ステップと、を有し、
前記第２の変換ステップは、前記複数の非線形ステップ夫々に対応し、夫々が前記関数の逆関数で表現される非線形特性を有すると共に当該非線形特性に基づいて前記ＡＤ変換ステップにて変換されたデジタル受信信号を変換する複数の補正ステップと、前記複数の補正ステップによって変換されたデジタル受信信号のうち、前記第１の変換ステップにて選択されたアナログ受信信号を変換した非線形ステップに対応する補正ステップにて変換されたデジタル信号を、前記波高値検出ステップからの波高値に基づいて選択する選択ステップと、を有する請求項５記載の復調方法。
【請求項７】
前記第１の変換ステップは、前記波高値検出ステップにて検出された波高値に対応する関数を決定するパラメータを演算するパラメータ演算ステップと、このパラメータ演算ステップにて生成されたパラメータに基づく関数で表現される非線形特性を有すると共に当該非線形特性に基づいて前記チューナー回路からのアナログ受信信号を変換する非線形ステップと、を有し、
前記第２の変換ステップは、前記波高値検出ステップにて検出された波高値に対応して前記関数の逆関数を決定するパラメータを演算するパラメータ演算ステップと、このパラメータ演算ステップにて演算されたパラメータに基づく逆関数で表現される非線形特性を有すると共に当該非線形特性に基づいて前記ＡＤ変換ステップからのデジタル受信信号を変換する補正ステップと、を有する請求項５記載の復調方法。
【発明の詳細な説明】
【技術分野】
【０００１】
本発明は、復調回路及び復調方法に関する。
【背景技術】
【０００２】
地上波デジタルテレビ放送には、変調方式として複数のキャリア（搬送波）を多重化して送受信することが可能なＯＦＤＭ方式（Orthogonal Frequency Division Multiplexing：直交周波数分割多重方式）が利用されている。
【０００３】
地上波デジタルテレビ放送で利用する放送電波の周波数帯域は、４７０ＭＨｚから７７０ＭＨｚまでの３００ＭＨｚで、この周波数帯域幅が１３〜６２ｃｈの５０チャネルに分割されて、各放送局に割り当てられている。図８は、地上波デジタルテレビ放送を受信する従来のＯＦＤＭ信号受信装置５のブロック図である。同図によれば、ＯＦＤＭ信号受信装置５は、外部アンテナＡＮＴ３０と、チューナー回路７００と、復調回路８００と、復号回路９００とを備えて構成される。
【０００４】
チューナー回路７００は、外部アンテナＡＮＴ３０で受信したＯＦＤＭ方式の受信信号の中から、ユーザによって選択された放送局の周波数帯域の受信信号をＯＦＤＭ復調回路８００に出力する。そして、ＯＦＤＭ復調回路８００は、入力された受信信号を復調してＴＳ（Transport Stream：トランスポート・ストリーム）と呼ばれる伝送に適した信号形式のデータを抽出し、復号回路９００に出力する。復号回路９００は、入力されたＴＳに復号処理を施し、ＯＦＤＭ信号受信装置５を内蔵する装置によってテレビ放送として表示出力及び音声出力される。ここで、従来のチューナー回路７００及び復調回路８００について説明する。
【０００５】
まず、チューナー回路７００は、ＬＮＡ（Low Noise Amplifier）１０と、ＲＦ−ＡＧＣ（Radio Frequency-Auto Gain Control）１２と、ＲＦ−ＢＰＦ（Radio Frequency-Band Pass Filter）１４と、ＲＦミキサー１６と、ＩＦ−ＢＰＦ（Intermediate Frequency-Band Pass Filter）１８と、ＩＦ−ＡＧＣ２０と、ＩＦミキサー２２と、ＬＰＦ（Low Pass Filter）２４とを備え、外部アンテナＡＮＴ３０がＬＮＡ１０に接続されて構成されている。
【０００６】
まず、複数のキャリアに情報が分割され直交変調が為された直交周波数分割多重信号（ＯＦＤＭ信号）が外部アンテナＡＮＴ３０で受信される。そして、受信された信号（受信信号）が、ＬＮＡ１０に入力される。
【０００７】
ＬＮＡ１０は、低雑音増幅回路であり、外部アンテナＡＮＴ３０で受信された受信信号を増幅する回路である。そして、増幅された信号をＲＦ−ＡＧＣ１２に出力する。
【０００８】
ＲＦ−ＡＧＣ１２は、ＬＮＡ１０から入力された受信信号を増幅する回路である。そして、ＲＦ−ＡＧＣ１２は、増幅した信号をＲＦ−ＢＰＦ１４に出力する。
【０００９】
ＲＦ−ＢＰＦ１４は、ＲＦ−ＡＧＣ１２から入力された受信信号のうち、ユーザによって選択された放送局の周波数帯域に相当する信号を抽出し、ＲＦミキサー１６に出力する回路である。また、ＲＦ−ＡＦＣ１２は、ＲＦ−ＢＰＦ１４で抽出されたＯＦＤＭ方式の受信信号の信号レベルに基づいて、ＬＮＡ１０から入力された受信信号を増幅してＲＦ−ＢＰＦ１４に出力するフィードバック制御を行う。
【００１０】
ＲＦミキサー１６は、ＲＦ−ＢＰＦ１４から入力された受信信号と、第１局部発信回路（不図示）から入力された局部発信信号とを混合することにより、第１中間周波数の信号に変換する。そして、変換した第１中間周波数の信号を、ＩＦ−ＢＰＦ１８に出力する。
【００１１】
ＩＦ−ＢＰＦ１８は、ＲＦミキサー１６から入力された第１中間周波数の信号から、中間周波数帯において、ユーザによって選択された放送局の周波数帯域の受信信号を抽出し、ＩＦ−ＡＧＣ２０に出力する。さらに、ＩＦ−ＡＧＣ２０は、ＩＦ−ＢＰＦ１８から入力された第１中間周波数の信号を増幅し、ＩＦミキサー２２に出力する。
【００１２】
ＩＦミキサー２２は、ＩＦ−ＡＧＣ２０から入力された信号と、第２局部発信回路（不図示）から入力された局部発信信号とを混合することにより、第２中間周波数の信号に変換する。そして、変換した信号を、ＬＰＦ２４に出力する。ＬＰＦ２４は、ＩＦミキサー２２から出力された信号をフィルタ処理し、復調回路８００のＡＤＣ回路５０に出力する。
【００１３】
続いて、復調回路８００について説明する。復調回路８００は、ＡＤＣ（Analog Digital Converter）回路５０と、ＦＦＴ（Fast Fourier Transform：高速フーリエ変換）処理回路６０と、伝送路等価回路６２と、復調部６４と、誤り訂正回路６６と、ＩＦ−ＡＧＣ制御回路７０とを備えて構成される。
【００１４】
ＡＤＣ回路５０は、チューナー回路７００のＬＰＦ２４から入力されたアナログ信号をデジタル信号に変換して、出力する回路である。ＡＤＣ回路５０は、変換後のデジタル信号をＦＦＴ処理回路６０及びＩＦ−ＡＧＣ制御回路７０に出力する。
【００１５】
ここで、ＩＦ−ＡＧＣ制御回路７０は、ＡＤＣ回路５０から入力された信号に基づいて、ＩＦ−ＡＧＣ２０を制御する信号を生成する回路である。例えば、ＡＤＣ回路５０から出力されたデジタル信号の信号レベルが所定の信号レベルより低い（高い）場合には、ＩＦ−ＡＧＣ２０から出力される信号を適切なレベルに増幅（減縮）させるための制御信号を生成し、ＩＦ−ＡＧＣ２０に出力する。
【００１６】
ＦＦＴ処理回路６０は、ＡＤＣ回路５０から入力された信号に対しＦＦＴ演算を行い、このＦＦＴ演算処理により得られた周波数領域の信号を伝送路等価回路６２に出力する回路である。
【００１７】
伝送路等価回路６２は、ＦＦＴ処理回路６０から入力されたＯＦＤＭ周波数領域の信号（キャリア信号）に含まれる同期信号（ＳＰ信号＝スキャッターパイロット信号）を利用して波形等価処理を行う回路である。そして、波形等価処理がなされた周波数領域の信号を、復調部６４に出力する。
【００１８】
復調部６４は、伝送路等価回路６２から入力された信号に基づいてデータを復調する回路部である。例えば、入力された信号を、１６ＱＡＭ方式に従って復調することにより、データが復調される。そして、復調されたデータを誤り訂正回路６６に出力する。
【００１９】
誤り訂正回路６６は、復調部６４から入力されたデータに対して誤り訂正を行う。誤り訂正の方法としては、例えば、畳み符号や、リードソロモン符号（ＲＳ符号）等を利用することにより実現される。そして、誤り訂正回路６６は、誤り訂正された信号を、ＴＳとして復号回路９００に出力する。
【００２０】
ところで、一般的に、アナログ信号をデジタル信号に変換する場合にＡＤＣ回路が利用される。例えば、ＯＦＤＭ受信装置５の場合、チューナー回路７００で処理される信号はアナログ信号であり、復調回路８００で処理される信号はデジタル信号である。従って、復調回路８００は、ＡＤＣ回路５０にてチューナー回路７００から入力されるアナログ信号をデジタル信号に変換する。
【００２１】
ＡＤＣ回路５０による変換可能な信号レベルの範囲（ダイナミックレンジ）は予め定められている。ＡＤＣ回路５０は、ダイナミックレンジ内にあるアナログ信号のみをデジタル信号に変換できる。従って、ダイナミックレンジを越えた場合はアナログ信号からデジタル信号への正確な変換ができなくなる。
【００２２】
ここで、ＡＤＣ回路５０に入力するアナログ信号をダイナミックレンジ内に収めるために非線形回路を利用する測定装置の発明が知られている（例えば、特許文献１参照）。
【特許文献１】特開２０００−５５９４３号公報
【発明の開示】
【発明が解決しようとする課題】
【００２３】
ＯＦＤＭ受信装置５において、信号レベルの過大な信号が外部アンテナＡＮＴ３０で受信された場合には、チューナー回路７００は、ＲＦ−ＡＧＣ１２及びＩＦ−ＡＧＣ２０によって受信信号の増幅度を減少させる。
【００２４】
しかし、ＡＧＣ回路によるＡＧＣ動作は信号レベルを安定させるまでには一定時間が必要となる。具体的に、図９を用いて説明する。図９（ａ）は、外部アンテナＡＮＴ３０で受信された受信信号の様子を表した図である。横方向は時間を、縦方向は信号の大きさを示している。この図では、時刻ｔpから過大な信号が受信されている。
【００２５】
図９（ｂ）は、チューナー回路７００から出力された信号の様子を表した図である。時刻ｔpから過大な受信信号が入力されたことにより、チューナー回路７００のＡＧＣ回路が増幅度を減少させ、過大な信号レベルとなっている受信信号を減衰させる処理を行っている。ここで、フィードバック制御によるＡＧＣ回路の増幅度の減少化が落ち着き、チューナー回路７００から出力される信号の大きさが安定したときが時刻ｔqである。従って、時刻ｔpから時刻ｔqまでの間は、チューナー回路７００から復調回路８００のＡＤＣ回路５０に対して信号レベルの大きな信号が出力されてしまう。
【００２６】
そこで、ＡＤＣ回路のダイナミックレンジの範囲を拡げる（最大許容値を大きくする）ことが考えられる。例えば、図１０（ａ）は、受信信号に対して、従来のＡＤＣ回路のダイナミックレンジを点線で示した図である。図１０（ａ）において多くの部分がダイナミックレンジ外となっている。そこで、図１０（ａ）の受信信号の信号レベルを減衰させてＡＤＣ回路のダイナミックレンジを拡げたのが図１０（ｂ）である。図１０（ａ）と比較して、受信信号の大部分がＡＤＣ回路のダイナミックレンジ内に収まっている。しかし、このような方法で単純にダイナミックレンジを拡げる（ＡＤＣ回路の最大許容値を大きくする）と、受信信号の分解能が低下してしまう。即ち、受信信号の分解能が低下することにより、ＡＤＣ回路以降において、アナログ信号を正しくデジタル化できず、正確な復調が行われない結果、再生したテレビ放送の画質や音質が低下してしまう。
【００２７】
また、特許文献１に記載の非線形回路を利用する方法も考えられる。しかし、線形に近い特性をもつ非線形回路を利用すれば、過大な信号入力はＡＤＣ回路のダイナミックレンジを超えてしまい、切り捨てて処理されることとなってしまう。逆に、非線形性の強い特性をもつ非線形回路を利用すれば、多くのアナログ信号を処理することができるが、受信信号の分解能が低下してしまうという問題点があった。
【００２８】
ここで、特許文献１に記載された測定装置では、ＡＤＣ回路のダイナミックレンジを超えてしまった場合、オーバーレンジとしてエラー表示すれば済む。しかし、ＯＦＤＭ受信装置では、信号が切り捨てられると、正しくデジタル化できず、復号部において復号エラーとなってしまう。
【００２９】
本発明は、過大な信号を受信した場合であっても、信号の分解能を低下させることなく正しくデジタル化し、元の信号に正しく復調することができるようにするためになされたものであり、その目的とするところは、非線形回路の非線形特性を受信した信号の波高値に応じて可変させ、アナログ信号をデジタル信号に正しく変換することのできる復調回路等の実現である。
【課題を解決するための手段】
【００３０】
以上の課題を解決するために、請求項１に記載された発明の復調回路は、
所定の関数で表現される非線形特性を有すると共に当該非線形特性に基づいてチューナー回路により受信されたアナログ受信信号を変換する第１の変換部（例えば、図１の第１変換回路４０）と、
この第１の変換部によって変換されたアナログ受信信号をデジタル受信信号に変換するＡＤ変換部（例えば、図１のＡＤＣ回路５０）と、
前記所定の関数の逆関数で表現される非線形特性を有すると共にこのＡＤ変換部にて変換されたデジタル受信信号を当該非線形特性に基づいて変換する第２の変換部（例えば、図１の第２変換回路５２）と、
この第２の変換部にて変換されたデジタル受信信号を復調する復調部（例えば、図１の復調部６４）と、
を有する復調回路において、
前記第２の変換部からのデジタル受信信号の波高値を検出する波高値検出部（例えば、図１の積分回路８０）を有し、前記第１の変換部及び第２の変換部は、この波高値検出部にて検出された波高値に基づいてその非線形特性を可変させることを特徴とする。
【００３１】
請求項２に記載された発明の復調回路は、請求項１の復調回路において、
前記第１の変換部は、夫々異なる関数で表現される非線形特性を有すると共に当該非線形特性に基づいて前記チューナー回路からのアナログ受信信号を変換する複数の非線形回路（例えば、図１の非線形Ａ回路４０ａ、非線形Ｂ回路４０ｂ）と、前記波高値検出部からの波高値に基づいて前記複数の非線形回路によって変換されたアナログ受信信号のいずれかひとつを選択する選択回路（例えば、図１の選択回路４０ｃ）と、からなり、
前記第２の変換部は、前記複数の非線形回路夫々に対応し、夫々が前記関数の逆関数で表現される非線形特性を有すると共に当該非線形特性に基づいて前記ＡＤ変換部にて変換されたデジタル受信信号を変換する複数の補正回路（例えば、図１の補正Ａ回路５２ａ、補正Ｂ回路５２ｂ）と、前記複数の補正回路によって変換されたデジタル受信信号のうち、前記第１の変換部にて選択されたアナログ受信信号を変換した非線形回路に対応する補正回路にて変換されたデジタル信号を、前記波高値検出部からの波高値に基づいて選択する選択回路（例えば、図１の選択回路５２ｃ）と、からなることを特徴とする。
【００３２】
請求項３に記載された発明の復調回路は、請求項１の復調回路において、
前記第１の変換部は、前記波高値検出部からの波高値に対応する関数を決定するパラメータを演算するパラメータ演算回路（例えば、図５のパラメータ計算回路４５ｂ）と、このパラメータ演算回路にて生成されたパラメータに基づく関数で表現される非線形特性を有すると共に当該非線形特性に基づいて前記チューナー回路からのアナログ受信信号を変換する非線形回路（例えば、図５の非線形回路４５ａ）と、からなり、
前記第２の変換部は、前記波高値検出部からの波高値に対応して前記関数の逆関数を決定するパラメータを演算するパラメータ演算回路（例えば、図５のパラメータ計算回路５５ｂ）と、このパラメータ演算回路にて演算されたパラメータに基づく逆関数で表現される非線形特性を有すると共に当該非線形特性に基づいて前記ＡＤ変換部からのデジタル受信信号を変換する補正回路（例えば、図５の補正回路５５ａ）と、からなることを特徴とする。
【００３３】
請求項４に記載された発明の復調回路は、請求項１の復調回路において、
前記復調部は、供給されるデジタル受信信号を高速フーリエ変換するＦＦＴ回路（例えば、図１のＦＦＴ処理回路６０）を含み、
前記波高値検出部は前記ＦＦＴ回路の出力を所定期間毎に積分する積分回路（例えば、図１の積分回路８０）からなり、この積分回路の出力を波高値として出力することを特徴とする。
【００３４】
また、請求項５に記載された発明の復調方法は、
所定の関数で表現される非線形特性を有すると共に当該非線形特性に基づいてチューナー回路により受信されたアナログ受信信号を変換する第１の変換ステップ（例えば、図１の第１変換回路４０）と、
この第１の変換ステップによって変換されたアナログ受信信号をデジタル受信信号に変換するＡＤ変換ステップ（例えば、図１のＡＤＣ回路５０）と、
前記所定の関数の逆関数で表現される非線形特性を有すると共にこのＡＤ変換ステップにて変換されたデジタル受信信号を当該非線形特性に基づいて変換する第２の変換ステップ（例えば、図１の第２変換回路５２）と、
この第２の変換ステップにて変換されたデジタル受信信号を復調する復調ステップ（例えば、図１の復調部６４）と、
を有する復調方法であって、
前記第２の変換ステップにて変換されたデジタル受信信号の波高値を検出する波高値検出ステップ（例えば、図１の積分回路８０）を更に有し、前記第１の変換ステップ及び第２の変換ステップは、この波高値検出ステップにて検出された波高値に基づいてその非線形特性を可変させることを特徴とする。
【００３５】
また、請求項６に記載された発明の復調方法は、請求項５の復調方法において、
前記第１の変換ステップは、夫々異なる関数で表現される非線形特性を有すると共に当該非線形特性に基づいて前記チューナー回路からのアナログ受信信号を変換する複数の非線形ステップ（例えば、図１の非線形Ａ回路４０ａ、非線形Ｂ回路４０ｂ）と、前記波高値検出ステップにて検出された波高値に基づいて前記複数の非線形ステップによって変換されたアナログ受信信号のいずれかひとつを選択する選択ステップ（例えば、図１の選択回路４０ｃ）と、を有し、
前記第２の変換ステップは、前記複数の非線形ステップ夫々に対応し、夫々が前記関数の逆関数で表現される非線形特性を有すると共に当該非線形特性に基づいて前記ＡＤ変換ステップにて変換されたデジタル受信信号を変換する複数の補正ステップ（例えば、図１の補正Ａ回路５２ａ、補正Ｂ回路５２ｂ）と、前記複数の補正ステップによって変換されたデジタル受信信号のうち、前記第１の変換ステップにて選択されたアナログ受信信号を変換した非線形ステップに対応する補正ステップにて変換されたデジタル信号を、前記波高値検出ステップからの波高値に基づいて選択する選択ステップ（例えば、図１の選択回路Ｃ５２ｃ）と、を有することを特徴とする。
【００３６】
また、請求項７に記載された発明の復調方法は、請求項５の復調方法において、
前記第１の変換ステップは、前記波高値検出ステップにて検出された波高値に対応する関数を決定するパラメータを演算するパラメータ演算ステップ（例えば、図５のパラメータ計算回路４５ｂ）と、このパラメータ演算ステップにて生成されたパラメータに基づく関数で表現される非線形特性を有すると共に当該非線形特性に基づいて前記チューナー回路からのアナログ受信信号を変換する非線形ステップ（例えば、図５の非線形回路４５ａ）と、を有し、
前記第２の変換ステップは、前記波高値検出ステップにて検出された波高値に対応して前記関数の逆関数を決定するパラメータを演算するパラメータ演算ステップ（例えば、図５のパラメータ計算回路５５ｂ）と、このパラメータ演算ステップにて演算されたパラメータに基づく逆関数で表現される非線形特性を有すると共に当該非線形特性に基づいて前記ＡＤ変換ステップからのデジタル受信信号を変換する補正ステップ（例えば、図５の補正回路５５ａ）と、を有することを特徴とする。
【発明の効果】
【００３７】
請求項１又は５に記載された発明によれば、受信信号を所定の関数で表現される非線形特性を有する第１の変換部で変換する際に、波高検出部にて検出された受信信号の波高値に基づいて非線形特性を可変させることができる。また、受信信号を所定の逆関数で表現される非線形特性を有する第２の変換部で変換する際に、波高検出部にて検出された受信信号の波高値に基づいて非線形特性を可変させることができる。従って、波高値に応じて第１の変換部及び第２の変換部の非線形特性が波高値に応じて可変されることにより、ＡＤ変換部においてアナログ受信信号をデジタル受信信号に適切に変換することができる。
【００３８】
請求項２又は６に記載された発明によれば、第１の変換部として異なる関数で表現される非線形特性を有する非線形回路を複数備えており、波高値検出部からの波高値に基づいて前記複数の非線形回路によって変換されたアナログ受信信号のいずれかひとつを選択してデジタル信号に変換することができる。また、第２の変換部において、非線形回路に対応する補正回路が選択されることにより、変換されたデジタル信号を復調することができる。従って、波高値に応じた適切な非線形回路及び補正回路を選択することができる。
【００３９】
請求項３又は７に記載された発明によれば、第１の変換部において、波高値検出部からの波高値に対応する関数を決定するパラメータを演算し、このパラメータに基づく関数で表現される非線形特性を有する非線形回路にてアナログ受信信号をデジタル信号に変換することができる。また、第２の変換部において、非線形回路の逆関数で表現される非線形特性を有する補正回路にてデジタル信号に変換することができる。従って、波高値に応じて非線形回路の非線形特性及び補正回路の特性が適切に可変される。
【００４０】
請求項４に記載された発明によれば、ＦＦＴ回路の出力を所定期間毎に積分する積分回路を用いて波高値を検出することができる。
【発明を実施するための最良の形態】
【００４１】
次に、図１を参照して、本発明の復調回路を備えた地上波デジタルテレビ放送の受信装置（ＯＦＤＭ信号受信装置）について説明するが、本発明が適用可能なものはこれに限定されるものではない。
【００４２】
〔第１実施形態〕
［１．１  概要］
ＯＦＤＭ信号受信装置１は、外部アンテナＡＮＴ３０と、チューナー回路１００と、復調回路２００と、復号回路３００とを備えて構成されている。外部アンテナＡＮＴ３０により受信されたＯＦＤＭ方式の受信信号から、チューナー回路１００によって、選択された放送局の周波数帯域の信号が抽出される。そして、この抽出された信号が復調回路２００に入力され、復調回路２００は前記抽出された信号からＴＳ（Transport Stream：トランスポート・ストリーム）と呼ばれる伝送に適した信号形式のデータを抽出し、復号回路３００に出力する。そして、復号回路３００は、ＴＳから音声信号と映像信号とデータ信号とを分離して復号し、ＴＶ受像器に出力する。チューナー回路１００は図８で説明したチューナー回路７００と、復号回路３００は図８で説明した復号回路９００と略同一の回路である。従って、ここでは、復調回路２００について説明する。尚、図８で説明した従来のＯＦＤＭ信号受信装置５の復調回路８００と同一の構成要素には同一の符号を付し、その詳細な説明を省略する。
【００４３】
［１．２  復調回路］
復調回路２００は、第１変換回路４０と、ＡＤＣ回路５０と、第２変換回路５２と、ＦＦＴ処理回路６０と、伝送路等価回路６２と、復調部６４と、誤り訂正回路６６と、積分回路８０とを備えて構成されている。
【００４４】
ここで、第１変換回路４０は、非線形回路としての非線形Ａ回路４０ａ及び非線形Ｂ回路４０ｂと、選択回路４０ｃとを備えている。また、第２変換回路５２は、補正回路としての補正Ａ回路５２ａ及び補正Ｂ回路５２ｂと、選択回路５２ｃとを備えている。
【００４５】
チューナー回路１００から出力されたアナログ信号ｃは、復調回路２００の第１変換回路４０に入力される。第１変換回路４０は、入力された信号ｃを非線形回路を利用して信号ｈに変換し、ＡＤＣ回路５０に出力する。
【００４６】
ＡＤＣ回路５０はアナログ信号である信号ｈを、デジタル信号に変換し、信号ｄとして第２変換回路５２に出力する。第２変換回路５２は、入力された信号ｄを補正回路を利用して信号ｆに変換する。そして、変換された信号ｆをＦＦＴ処理回路６０に出力する。
【００４７】
ＦＦＴ処理回路６０は、第２変換回路５２から入力された信号ｆに対しＦＦＴ演算を行い、このＦＦＴ演算処理により得られた周波数領域の信号ｔを伝送路等価回路６２及び積分回路８０に出力する回路である。伝送路等価回路６２は、入力された信号ｔを波形等価処理し、復調部６４に出力する。そして、伝送路等価回路６２から出力された信号は、復調部６４により復調処理が、誤り訂正回路６６により誤り訂正処理が施されてＴＳが抽出され、復号回路３００に出力される。
【００４８】
また、積分回路８０は、ＦＦＴ処理回路６０から入力される信号ｔの単位時間当たりの積分値を算出することにより現在の受信信号の波高値を求める回路である。そして、求めた波高値が所定の基準値未満である場合には、非線形Ａ回路４０ａと補正Ａ回路５２ａとを選択する選択制御信号ｓを選択回路４０ｃ及び選択回路５２ｃに出力する。また、求めた波高値が所定の基準値以上である場合には、非線形Ｂ回路４０ｂと補正Ｂ回路５２ｂとを選択する選択制御信号ｓを選択回路４０ｃ及び選択回路５２ｃに出力する。ここで、第１変換回路４０及び第２変換回路５２について以下詳細に説明する。
【００４９】
［１．２．１  第１変換回路］
まず、第１変換回路４０について説明する。第１変換回路４０は、非線形Ａ回路４０ａと、非線形Ｂ回路４０ｂと、選択回路４０ｃとを備えて構成されている回路である。チューナー回路１００から出力されたアナログ信号ｃは、非線形Ａ回路４０ａ及び非線形Ｂ回路４０ｂ夫々に入力される。非線形Ａ回路４０ａは、入力されたアナログ信号ｃを信号ｈａに変換して選択回路４０ｃに出力する。同様に、非線形Ｂ回路４０ｂは、入力されたアナログ信号ｃを信号ｈｂに変換して選択回路４０ｃに出力する。
【００５０】
選択回路４０ｃは、積分回路８０から入力された選択制御信号ｓに従って、非線形Ａ回路４０ａから出力された信号ｈａ又は非線形Ｂ回路４０ｂから出力された信号ｈｂを選択し、信号ｈとしてＡＤＣ回路５０に出力する。
【００５１】
ここで、非線形Ａ回路４０ａ及び非線形Ｂ回路４０ｂは所定の関数で表現される非線形特性を有している。一例として非線形Ａ回路４０ａ及び非線形Ｂ回路４０ｂが対数増幅回路（ログアンプ）として構成される場合について説明する。図２（ａ）は、非線形Ａ回路４０ａの回路構成の一例を示した図である。
【００５２】
非線形Ａ回路４０ａは、オペアンプＯＰと、入力抵抗Ｒ１と、出力抵抗Ｒ２と、ベース接地型のトランジスタＴＲとを有して構成されており、オペアンプＯＰの反転端子が入力抵抗Ｒ１を介して入力端子に接続され、オペアンプの出力端子が出力抵抗Ｒ２を介して出力端子に接続され、オペアンプＯＰの非反転端子が接地されている。また、トランジスタＴＲのベースが接地され、エミッタが出力端子に、コネクタがオペアンプＯＰの反転端子に接続されている。この回路構成により、入力抵抗Ｒ１と非線形特性を有するトランジスタＴＲとによって増幅度が決定され、入力値の対数の値が出力値として出力される対数増幅回路が実現される。さらに、非線形Ｂ回路４０ｂは、図２（ａ）に示した非線形Ａ回路４０ａの抵抗Ｒ１より大きい抵抗値の抵抗を用いて構成されている。
【００５３】
ここで、非線形Ａ回路４０ａ及び非線形Ｂ回路４０ｂの特性を示した図が図２（ｂ）のグラフであり、横軸に入力信号の大きさを、縦軸に出力信号の大きさを表している。また、グラフＡは非線形Ａ回路４０ａの非線形特性を、グラフＢは非線形Ｂ回路４０ｂの非線形特性を示している。
【００５４】
まず、非線形Ａ回路４０ａの特性を示したグラフＡについて説明する。グラフＡは、入力信号の大きさが低い領域においては、入力信号の大きさの増加の割合に対し、出力信号の大きさもほぼ同じ割合で増加している。従って、この入力信号の大きさが低い領域においては、入力信号の大きさと出力信号の大きさの関係を示すグラフは略直線状となり比例関数（線形性）の特性となっている。
【００５５】
また、入力信号の大きさが高い領域においては、入力信号の大きさの割合の増加に対し、出力信号の大きさの割合が極端に減少しており、指数関数（非線形性）の特性を示している。
【００５６】
次に、非線形Ｂ回路４０ｂの特性を示したグラフＢについて説明する。グラフＢも、グラフＡと同様に入力信号の大きさが低い領域においては、入力信号の大きさと出力信号の大きさの特性は線形性の特性を示している。また、入力信号の大きさが高い領域においては、入力信号の大きさと出力信号の大きさの特性は非線形性の特性を示している。
【００５７】
しかし、非線形Ａ回路４０ａの非線形特性に占める線形性の特性を示す領域は、非線形Ｂ回路４０ｂのそれと比較して広い。従って、非線形Ａ回路４０ａは、非線形Ｂ回路４０ｂに比べて入力信号の大きさが低い（小さい）ときに分解能を高くさせるような信号を出力することができる。一方、非線形Ｂ回路４０ｂの非線形性特性に占める非線形性の特性を示す領域は、非線形Ａ回路４０ａのそれと比較して広い。よって、非線形Ｂ回路４０ｂは、非線形Ａ回路４０ａに比べて入力信号の大きさが高く（大きく）なっても、出力信号の大きさを一定範囲内に収めることができる。
【００５８】
［１．２．２  第２変換回路］
つづいて、第２変換回路５２について説明する。第２変換回路５２は、補正Ａ回路５２ａと、補正Ｂ回路５２ｂと、選択回路５２ｃとを備えて構成されている回路である。ＡＤＣ回路５０から出力された信号ｄは、補正Ａ回路５２ａ及び補正Ｂ回路５２ｂ夫々に入力される。ここで、補正Ａ回路５２ａは、入力された信号ｄを信号ｆａに変換して選択回路５２ｃに出力する。同様に、補正Ｂ回路５２ｂは、入力された信号ｄを信号ｆｂに変換して選択回路５２ｃに出力する。
【００５９】
選択回路５２ｃは、積分回路８０から出力された選択制御信号ｓに従って、補正Ａ回路５２ａ又は補正Ｂ回路５２ｂを選択する。そして、選択された回路から出力されている信号を、信号ｆとしてＦＦＴ処理回路６０に出力する。
【００６０】
まず、補正Ａ回路５２ａについて説明する。補正Ａ回路５２ａは、入力された信号ｄを不図示のＲＯＭに記憶された変換テーブルを参照して信号ｆａに変換し、選択回路５２ｃに出力する。図３（ａ）に示すように、ＲＯＭには各信号レベルに応じた補正後の信号レベルが変換テーブルとして記憶されている。補正Ａ回路５２ａは、ＡＤＣ回路５０から入力された信号ｄの信号レベルから補正後の信号レベルを求め、補正後の信号レベルの大きさである信号を信号ｆａとして選択回路５２ｃに出力する。
【００６１】
同様に、補正Ｂ回路５２ｂは、補正Ｂ回路５２ｂ用のＲＯＭ（不図示）を参照してＡＤＣ回路５０から入力された信号ｄの信号レベルから補正後の信号レベルを求め、補正後の信号レベルの大きさとなる信号を信号ｆｂとして選択回路５２ｃに出力する。
【００６２】
ここで、補正Ａ回路５２ａによる信号レベルの変換特性は、非線形Ａ回路４０ａの非線形特性の逆関数で表現される特性を有している。また、補正Ｂ回路５２ｂによる信号レベルの変換特性は、非線形Ｂ回路４０ｂの非線形特性の逆関数で表現される特性を有している。
【００６３】
図３（ｂ）に、補正Ａ回路５２ａの変換特性及び補正Ｂ回路５２ｂの変換特性の概形を示すグラフを表す。グラフＡは補正Ａ回路５２ａを、グラフＢは補正Ｂ回路５２ｂの特性を示すグラフであり、横軸に入力信号の大きさを、縦軸に出力信号の大きさを表している。このグラフは、図２（ｂ）で示したグラフの逆関数のグラフとなっており、図３（ｂ）の入力信号の大きさが図２（ｂ）の出力信号の大きさを示し、図３（ｂ）の出力信号の大きさが図２（ｂ）の入力信号の大きさを示している。
【００６４】
［１．３  動作例］
ＯＦＤＭ受信装置１の動作について説明する。初期状態において、選択回路４０ｃは非線形Ａ回路４０ａを選択しており、選択回路５２ｃは補正Ａ回路５２ａを選択しているものとして説明する。
【００６５】
チューナー回路１００は、非線形Ａ回路４０ａ及び非線形Ｂ回路４０ｂにアナログ信号ｃをそれぞれ出力する。ここで、アナログ信号ｃは、非線形Ａ回路４０ａにおいて信号ｈａに変換され、選択回路４０ｃに出力される。また、同様にアナログ信号ｃは、非線形Ｂ回路４０ｂにおいて信号ｈｂに変換され、選択回路４０ｃに出力される。
【００６６】
初期状態において非線形Ａ回路４０ａが選択されていることから、非線形Ａ回路４０ａから出力された信号ｈａが信号ｈとしてＡＤＣ回路５０に出力される。信号ｈは、ＡＤＣ回路５０においてデジタル信号ｄに変換され、補正Ａ回路５２ａ及び補正Ｂ回路５２ｂに出力される。補正Ａ回路５２ａは、変換テーブルを参照して信号ｄを信号ｆａに変換し、選択回路５２ｃに出力する。同様に、補正Ｂ回路５２ｂは、信号ｄを信号ｆｂに変換して選択回路５２ｃに出力する。
【００６７】
初期状態において補正Ａ回路５２ａが選択されていることから、補正Ａ回路５２ａから出力された信号ｆａが信号ｆとしてＦＦＴ処理回路６０に出力される。信号ｆは、ＦＦＴ処理回路６０において、ＦＦＴ処理を施された後に信号ｔとして伝送路等価回路６２及び積分回路８０に出力される。信号ｔは、伝送路等価回路６２において波形等価処理が施されて復調部６４に出力される。復調部６４は、入力された信号を復調し、誤り訂正回路６６に出力する。誤り訂正回路６６は、入力された信号の誤り訂正を行い、復号回路３００に出力する。
【００６８】
一方、信号ｔが積分回路８０に入力されることにより、一定時間毎に積分されて受信信号の波高値が検出される。そして、検出された波高値に基づいて選択回路４０ｃ及び選択回路５２ｃに選択制御信号ｓが出力される。
【００６９】
ここで、外部アンテナＡＮＴ３０から過大な信号が受信されると、チューナー回路１００のＡＧＣ回路は増幅度を減少させるＡＧＣ動作を開始し、アナログ信号ｃの出力レベルを調整する。
【００７０】
図４に、過大な信号が受信される前後の信号ｃ（同図（ａ））及び信号ｈ（同図（ｂ））の波形の一例を示す。横方向が時間を表しており、縦方向が信号の大きさを表している。また、点線はＡＤＣ回路５０のダイナミックレンジを判定する基準値（以下、単に「基準値」という。）を表したものである。従って、ＡＤＣ回路５０は、図４（ｂ）において、点線を超えるアナログ信号部分を切り捨ててデジタル信号に変換する。また、図４（ｂ）において基準値内全域に対してデジタル変換を行うため、基準値内に占める信号の大きさの割合が高い程、ＡＤＣ回路５０において分解能が高くなる。
【００７１】
図４（ａ）は、チューナー回路１００から出力されたアナログ信号ｃの様子を示した図である。時刻ｔ1において、過大な信号が受信されると、チューナー回路１００のＡＧＣ回路がＡＧＣ動作を開始し、出力する信号レベルを一定にしようとする。
【００７２】
ここで、時刻ｔ1における受信信号の波高値が、基準値を超えている。従って、積分回路８０は選択回路４０ｃに非線形Ｂ回路４０ｂを、選択回路５２ｃに補正Ｂ回路５２ｂを選択させる選択制御信号ｓを出力する。
【００７３】
そして、選択回路４０ｃは、非線形Ｂ回路４０ｂを選択する選択制御信号ｓが入力されると、非線形Ｂ回路４０ｂから入力された信号ｈｂを信号ｈとしてＡＤＣ回路５０に出力する。また、選択回路５２ｃは、補正Ｂ回路５２ｂを選択する選択制御信号ｓが入力されると、補正Ｂ回路５２ｂから入力された信号ｆｂを信号ｆとしてＦＦＴ処理回路６０に出力する。
【００７４】
このときの信号ｈの様子を示したのが図４（ｂ）である。時刻ｔ1迄は非線形Ａ回路４０ａが利用され、時刻ｔ1以降は非線形回路Ｂ４０ｂが利用されている。ここで、時刻ｔ1以前においては、非線形Ａ回路４０ａの非線形特性により、分解能を高くさせるような信号を出力している。また、時刻ｔ1以降においては、非線形Ｂ回路４０ｂの非線形特性により、出力信号の大きさが基準値以下の信号となるように出力されている。
【００７５】
尚、受信信号の波高値が一定レベル以下となった場合には、積分回路８０は、選択回路４０ｃに非線形Ａ回路４０ａを、選択回路５２ｃに補正Ａ回路５２ａを選択させる選択制御信号ｓを再度出力する。従って、非線形Ａ回路４０ａが選択されることにより、再び分解能を高くさせるような信号が出力される。
【００７６】
［１．４  効果］
このように、第１実施形態によれば、通常は非線形Ａ回路４０ａが選択されているが、チューナー回路１００から基準値を超える信号が出力された場合には、非線形Ｂ回路４０ｂが選択される。従って、過大な信号が入力されたときに非線形Ｂ回路４０ｂが選択されることにより、ＡＤＣ回路５０への出力信号の大きさが基準値以下の信号となるため、データを欠落させること無く信号を正しく復号することができる。また、通常は非線形Ａ回路４０ａが選択されるように切り替わることから、ＡＤＣ回路５０において変換されたデジタル信号は分解能の高い信号となっている。このため、ＡＤＣ回路５０以降において正しい復調及び正しい復号を実現できる。また、非線形回路に対応する補正回路が選択されることにより、ＦＦＴ処理回路６０以降の処理に影響を与えず、受信信号からデータを正しく復調することができる。
【００７７】
〔第２実施形態〕
続いて第２実施形態について説明する。第２実施形態は、第１変換回路４０を第１変換回路４５に、第２変換回路５２を第２変換回路５５に、積分回路８０を積分回路８５に置き換えた構成と同一であり、以下、同一の構成回路には、同一の符号を付してその説明を省略する。
【００７８】
［２．１  復調回路］
まず、復調回路２５０について説明する。復調回路２５０は、第１変換回路４５と、ＡＤＣ回路５０と、第２変換回路５５と、ＦＦＴ処理回路６０と、伝送路等価回路６２と、復調部６４と、誤り訂正回路６６と、積分回路８５とを備えている。
【００７９】
ここで、第１変換回路４５は、非線形回路４５ａと、パラメータ計算回路４５ｂとを備えている。また、第２変換回路５５は、補正回路５５ａと、パラメータ計算回路５５ｂとを備えている。
【００８０】
チューナー回路１００から出力されたアナログ信号ｃは、復調回路２５０の第１変換回路４５に入力される。第１変換回路４５は、入力された信号ｃを非線形回路４５ａを利用して信号ｈに変換し、ＡＤＣ回路５０に出力する。
【００８１】
ＡＤＣ回路５０は、アナログ信号である信号ｈを、デジタル信号に変換し、信号ｄとして第２変換回路５５に出力する。第２変換回路５５は、入力された信号ｄを補正回路５５ａを利用して信号ｆに変換する。そして、変換された信号ｆをＦＦＴ処理回路６０に出力する。
【００８２】
ＦＦＴ処理回路６０は、第２変換回路５５から入力される信号ｆに対しＦＦＴ演算を行い、このＦＦＴ演算処理により得られた周波数領域の信号ｔを伝送路等価回路６２及び積分回路８５に出力する。伝送路等価回路６２は、入力された信号ｔを波形等価処理し、復調部６４に出力する。そして、伝送路等価回路６２から出力された信号は、復調部６４により復調処理が、誤り訂正回路６６により誤り訂正処理が施されてＴＳが抽出され、復号回路３００に出力される。
【００８３】
また、積分回路８５は、ＦＦＴ処理回路６０から入力されてくる信号ｔの単位時間当たりの積分値を算出することにより現在の受信信号の波高値を求める回路である。そして、求めた波高値を、パラメータ計算回路４５ｂ及びパラメータ計算回路５５ｂに信号ｋとして出力する。ここで、第１変換回路４５及び第２変換回路５５についてそれぞれ説明する。
【００８４】
［２．１．１  第１変換回路］
まず、第１変換回路４５について説明する。第１変換回路４５は、非線形回路４５ａと、パラメータ計算回路４５ｂとを備えて構成されている回路である。チューナー回路１００からアナログ信号ｃが非線形回路４５ａに入力されると、非線形回路４５ａは、アナログ信号ｃを信号ｈに変換し、ＡＤＣ回路５０に出力する。
【００８５】
また、パラメータ計算回路４５ｂは積分回路８５から入力された波高値に基づいて、非線形回路４５ａで使用するパラメータを演算し、演算した結果を信号ｐａとして非線形回路４５ａに出力する。
【００８６】
ここで、非線形回路４５ａは所定の関数で表現される非線形特性を有している。一例として対数増幅回路（ログアンプ）を用いる場合について説明する。図６は、非線形回路４５ａの回路構成の一例を示した図である。非線形回路４５ａは、図２（ａ）に示した対数増幅回路において、入力抵抗Ｒ１を、可変抵抗Ｒ３に置き換えた構成である。ここで、可変抵抗Ｒ３の抵抗値を調節することにより、非線形特性に占める線形性の特性を示す領域が広く、非線形性の特性を示す領域が狭くなったり、非線形特性に占める線形性の特性を示す領域が狭く、非線形性の特性を示す領域が広くなったりするのである。
【００８７】
可変抵抗Ｒ３における抵抗値は、積分回路８５から入力された波高値に応じて、パラメータ計算回路４５ｂにより計算される。計算された抵抗値は、パラメータ計算回路４５ｂから信号ｐａとして非線形回路４５ａに出力される。例えば、受信信号レベルが大きいときには、可変抵抗Ｒ３の抵抗値を大きく（非線形特性に占める非線形性の特性を示す領域を広く）し、逆に受信信号レベルが小さいときには、可変抵抗Ｒ３の抵抗値を小さく（非線形特性に占める線形性の特性を示す領域を広く）する。
【００８８】
［２．１．２  第２変換回路］
つづいて、第２変換回路５５について説明する。第２変換回路５５は、補正回路５５ａと、パラメータ計算回路５５ｂとを備えた回路である。ＡＤＣ回路５０から補正回路５５ａに信号ｄが入力される。そして、補正回路５５ａにおいて、信号ｄを信号ｆに変換してＦＦＴ処理回路６０に出力する。
【００８９】
ここで、補正回路５５ａについて説明する。不図示のＲＯＭを有している。このＲＯＭには信号ｔの波高値に応じた複数の変換テーブルを参照アドレス信号ｐｂによって切替可能に記憶している。また、各変換テーブルは、信号ｄの信号レベルに応じた補正後の信号レベルが記憶されている。補正回路５５ａは、図７に示すようにＡＤＣ回路５０から入力された信号ｄの信号レベルから補正後の信号レベルを求め、補正後の信号レベルの大きさである信号を信号ｆとしてＦＦＴ処理回路６０に出力する。
【００９０】
また、補正回路５５ａによる信号レベルの変換の特性は、非線形回路４５ａが有する非線形特性の逆関数で表現される特性である。
【００９１】
［２．２  動作例］
本実施形態におけるＯＦＤＭ受信装置１の動作について説明する。チューナー回路１００は、非線形回路４５ａにアナログ信号ｃを出力する。ここで、アナログ信号ｃは、非線形回路４５ａにおいて可変抵抗Ｒ３に初期値が設定されている状態（例えば、非線形特性に占める線形性の特性を示す領域が広い状態）にて信号ｈに変換され、ＡＤＣ回路５０に出力されているとする。
【００９２】
信号ｈは、ＡＤＣ回路５０においてデジタル信号ｄに変換され、補正回路５５ａに出力される。補正回路５５ａは、変換テーブルを参照して信号ｄを信号ｆに変換し、ＦＦＴ処理回路６０に出力する。
【００９３】
信号ｆは、ＦＦＴ処理回路６０において、ＦＦＴ処理を施された後に信号ｔとして伝送路等価回路６２及び積分回路８５に出力される。信号ｔは、伝送路等価回路６２において波形等価処理が施されて復調部６４に出力される。復調部６４は、入力された信号を復調し、誤り訂正回路６６に出力する。誤り訂正回路６６は、入力された信号の誤り訂正を行い、復号回路３００に出力する。
【００９４】
一方、信号ｔが積分回路８５に入力されることにより、一定時間毎に積分されて受信信号の波高値が検出される。そして、検出された波高値を信号ｋとしてパラメータ計算回路４５ｂ及びパラメータ計算回路４５ｂに出力する。
【００９５】
パラメータ計算回路４５ｂは、入力された波高値に基づき、非線形回路４５ａの可変抵抗Ｒ３の抵抗値を決定する。そして、決定された抵抗値を信号ｐａとして非線形回路４５ａに出力する。非線形回路４５ａは、入力された信号ｐａに基づいて可変抵抗Ｒ３の抵抗値を設定する。
【００９６】
また、パラメータ計算回路５５ｂは、入力された波高値に対応する変換テーブルを決定すべく、補正回路５５ａのＲＯＭに記憶されている変換テーブルの参照アドレスを決定する。そして、参照アドレス信号ｐｂを、補正回路５５ａに出力する。補正回路５５ａは、信号ｐｂに従って変換テーブルを決定し、決定した変換テーブルを参照して信号ｄを信号ｆに変換し、ＦＦＴ処理回路６０に出力する。
【００９７】
ここで、外部アンテナＡＮＴ３０から過大な信号が受信されると、チューナー回路１００のＡＧＣ回路は増幅度を減少させるＡＧＣ動作を開始し、アナログ信号ｃの出力レベルを調整する。
【００９８】
上述した図４（ａ）を用いて再度説明する。時刻ｔ1において、過大な信号が受信されると、チューナー回路１００のＡＧＣ回路がＡＧＣ動作を開始し、出力する信号レベルを一定にしようとする。
【００９９】
ここで、積分回路８５は、時刻ｔ1における波高値を検出し、信号ｋとしてパラメータ計算回路４５ｂ及びパラメータ計算回路５５ｂに出力する。すると、パラメータ計算回路４５ｂは、入力された波高値に基づいて可変抵抗Ｒ３の値を計算し、信号ｐａとして非線形回路４５ａに出力する。非線形回路４５ａは、信号ｐａに基づいて可変抵抗Ｒ３の値を設定し、アナログ信号ｃを信号ｈに変換する。この場合、可変抵抗Ｒ３の抵抗値を初期値より大きな値とすることにより、補正回路４５ａの非線形特性に占める非線形性の特性を示す領域をより広くする。従って、入力信号ｃが大きくても、出力信号ｈの大きさを基準値以下にできる。
【０１００】
また、パラメータ計算回路５５ｂは、入力された波高値に対応する変換テーブルを特定するための参照アドレスの信号ｐｂを補正回路５５ａに出力する。補正回路５５ａは参照アドレス信号ｐｂに従って変換テーブルを決定し、信号ｄを信号ｆに変換してＦＦＴ処理回路６０に出力する。
【０１０１】
［２．３  効果］
以上のように、第２実施形態によれば、チューナー回路１００から出力される信号に応じて、補正回路４５ａの可変抵抗Ｒ３の抵抗値を変更することができる。例えば、過大な信号が入力された場合に、可変抵抗Ｒ３の抵抗値を大きくすることにより、ＡＤＣ回路５０への出力信号の大きさが基準値以下の信号となるため、データを欠落させること無く信号を正しく復号することができる。一方、基準値未満の信号が入力されている場合には、補正回路４５ａの可変抵抗Ｒ３の抵抗値が小さくなることから、ＡＤＣ回路５０において変換されたデジタル信号は分解能の高い信号となっている。このため、ＡＤＣ回路５０以降において復調及び復号を正しく行うことができる。また、非線形回路４５ａによって変換された信号は補正回路５５ａによって元の信号に復元させるため、ＦＦＴ処理回路６０以降の処理に影響を与えず、受信信号からデータを正しく復調することができる。さらに、第１実施形態と比較すると、非線形回路（補正回路）が１つであることから、消費電流が少なくて済むという効果がある。
【０１０２】
〔変形例〕
上述した各実施形態のＯＦＤＭ受信装置１の構成は、本発明を説明するための一例であり、本発明を実現可能なＯＦＤＭ装置受信装置がこれに限定されるものではないことは勿論である。例えば、図１において、ＯＦＤＭ受信装置１は、外部アンテナＡＮＴ３０と、チューナー回路１００と、復調回路２００と、復号回路３００とを備えており、第１変換回路４０は、復調回路２００に含まれていることとして説明した。しかし、第１変換回路４０を、復調回路２００とは異なる１つの回路（例えばモジュール）として構成させることとしても良い。この場合、ＯＦＤＭ受信装置は、外部アンテナＡＮＴ３０と、チューナー回路１００と、第１変換回路４０と、復調回路２００と、復号回路３００とを備える構成となる。また、第２実施形態における図５においても同様の構成とすることが可能である。
【０１０３】
また、第１実施形態において、非線形回路及び補正回路を２つずつとして説明したが３つずつ以上としても良いことは勿論である。非線形回路及び補正回路の組合せを増やすことにより、受信信号に応じたより細かな処理を行うことができるようになる。例えば、基準値以上の入力信号を処理するための非線形回路及び補正回路と、基準値以下の入力信号を処理するための非線形回路及び補正回路と、微弱な入力信号を処理するための非線形回路及び補正回路とを備え、入力信号の信号レベルに応じて切り替えることにより、２つずつとする場合と比べてより適応した信号をＡＤＣ回路５０に出力することが可能となる。
【０１０４】
また、第２実施形態において、信号を変換する際に複数の変換テーブルを利用することとして説明したが、ここで変換テーブルを利用せずに、演算式にて補正後の信号の大きさを求めることとしても良い。具体的には、パラメータ計算回路４５ｂにおいて非線形特性を示す所定の関数の演算式にて可変抵抗Ｒ３の値を決定する。また、パラメータ計算回路５５ｂにおいて、パラメータ計算回路４５ｂで用いられた関数の逆関数となる演算式にてパラメータを計算する。そして、補正回路５５ａにおいて、入力された信号の大きさから補正後の信号の大きさを求め、信号ｄを信号ｆに変換しＦＦＴ処理回路６０に出力する。
【図面の簡単な説明】
【０１０５】
【図１】第１実施形態におけるＯＦＤＭ受信装置のブロック図。
【図２】（ａ）非線形回路の構成、（ｂ）非線形回路の特性を示す図。
【図３】（ａ）補正回路の構成、（ｂ）補正回路の特性を示す図。
【図４】受信した信号の様子を示した図。
【図５】第２実施形態におけるＯＦＤＭ受信装置のブロック図。
【図６】非線形回路の構成を示した図。
【図７】補正回路の構成を示した図。
【図８】従来のＯＦＤＭ受信装置のブロック図。
【図９】従来の動作について示した図。
【図１０】従来の動作について示した図。
【符号の説明】
【０１０６】
１  ＯＦＤＭ受信装置
１００  チューナー回路
２００  復調回路
４０  第１変換回路
４０ａ  非線形Ａ回路
４０ｂ  非線形Ｂ回路
４０ｃ  選択回路
５０  ＡＤＣ回路
５２  第２変換回路
５２ａ  補正Ａ回路
５２ｂ  補正Ｂ回路
５２ｃ  選択回路
６０  ＦＦＴ処理回路
６２  伝送路等価回路
６４  復調部
６６  誤り訂正回路
８０  積分回路
３００  復号回路
【図１】
2006050147.tif 000003
【図２】
2006050147.tif 000004
【図３】
2006050147.tif 000005
【図４】
2006050147.tif 000006
【図５】
2006050147.tif 000007
【図６】
2006050147.tif 000008
【図７】
2006050147.tif 000009
【図８】
2006050147.tif 000010
【図９】
2006050147.tif 000011
【図１０】
2006050147.tif 000012